(57)【要約】  本発明は、各々が第１表面と第２表面を有する、第１のテープタブ要素および第２のテープタブ要素（４、６）を備える積層使い捨てテープタブ（２）に関する。好ましくは、各々のテープタブ要素の第１表面は、感圧接着剤（２６、２８）で少なくとも部分的にコーティングされる。２つの端部（２２、２４）を有する塑性変形可能な低降伏の伸長可能なフィルム（２０）およびその間に形成される中間部分は、第１のテープタブ要素および第２のテープタブ要素の各々の第１表面に結合される。未加工フィルム（２２）は、好ましくは第１のおよび第２のテープタブ要素の各々の第１表面に接合され、低降伏の延伸可能なフィルムが中間部部分においてテープタブの接着剤コーティングと接触しないように、テープタブ要素と低降伏の伸長可能なフィルムとの間に配置される。
2009507570.tif 000002
【特許請求の範囲】
【請求項１】
隣接した第１のテープタブ要素および第２のテープタブ要素を備え、各々が第１表面と第２表面を有する、積層使い捨てテープタブであって、前記テープタブは２つの端部および前記端部の間の中間部分を有する塑性変形可能の伸長可能なフィルムをさらに備え、一方の端部は前記第１のテープタブ要素の第１表面に結合され、他方の端部は前記第２のテープタブの第１表面に結合されてなる、積層使い捨てテープタブ。
【請求項２】
各々のテープタブ要素の前記第１表面は、感圧接着剤で少なくとも部分的にコーティングされる、請求項１に記載のタブ。
【請求項３】
未加工フィルムは前記第１のテープタブ要素および第２のテープタブ要素の各々の前記第１表面に結合され、かつ前記塑性変形可能の伸長可能なフィルムが中間部分において前記テープタブ要素の前記接着剤コーティングと接触しないように前記テープタブ要素と前記伸長可能なフィルムとの間に配置される、請求項２に記載のタブ。
【請求項４】
前記伸長可能なフィルムは、接着剤接合、熱接合、超音波接合および／または冷圧接合によって前記テープタブ要素に結合される、請求項１〜３のいずれかに記載のタブ。
【請求項５】
前記伸長可能なフィルムは接着剤接合によって前記テープタブ要素に結合され、かつ熱接合、超音波接合または冷圧接合によって補助的に結合される、請求項４に記載のタブ。
【請求項６】
前記伸長可能なフィルムは３Ｎ／ｍｍ２を超える弾性率、好ましくは５〜１００Ｎ／ｍｍ２の範囲の弾性率、より好ましくは１０〜３０Ｎ／ｍｍ２の範囲の弾性率を有する、請求項１〜５のいずれかに記載のタブ。
【請求項７】
前記未加工フィルムは前記第１のテープタブ要素および第２のテープタブ要素にそれぞれ結合される２つの分離した部分を備える、請求項３〜６のいずれかに記載のタブ。
【請求項８】
前記未加工フィルムの全長は前記伸長可能なフィルムの長さよりも小さく、かつ前記伸長可能なフィルムは２つの端部において前記第１のテープタブ要素および第２のテープタブ要素に直接的に結合される、請求項３〜７のいずれかに記載のタブ。
【請求項９】
前記未加工フィルムの全長は前記伸長可能なフィルムの長さよリも大きく、かつ前記伸長可能なフィルムは前記未加工フィルムを介して前記第１のテープタブ要素および第２のテープタブ要素に結合される、請求項３〜７のいずれかに記載のタブ。
【請求項１０】
前記未加工フィルムは、ポリエチレン、ポリオレフィン、ポリエチレンフタレートもしくは２軸延伸ポリプロピレンのフィルム、紙、または積層フィルムを備えたまたは備えない不織布である、請求項３〜９のいずれかに記載のタブ。
【請求項１１】
前記テープタブ要素は、単一層フィルム、例えばポリオレフィンフィルム、不織布または不織布層とフィルム層との積層物で作製される、請求項１〜１０のいずれかに記載のタブ。
【請求項１２】
前記感圧接着剤は少なくとも１つのテープタブ要素の上において露出される、請求項２〜１１のいずれかに記載のタブ。
【請求項１３】
前記テープタブ要素の少なくとも１つは、機械的締結要素を備える、請求項１から１２のいずれかに記載のタブ。
【請求項１４】
剥離テープをさらに備える、請求項１〜１３のいずれかに記載のタブ。
【請求項１５】
前記剥離テープは剥離剤コーティングされた第１表面および接着剤コーティングされた第２表面を有する、請求項１４に記載のタブ。
【請求項１６】
前記剥離テープは中央部ストライプによって前記テープタブ要素の１つに接続される、請求項１４または１５に記載のタブ。
【請求項１７】
ロール巻きに巻き取られ、請求項１〜１６のいずれかに記載の前記タブの複数を並列配置して含む、テープ。
【請求項１８】
トップシートと、バックシートと、吸収体コアおよび前記バックシートに結合された請求項１〜１６のいずれかに記載の少なくとも１つの使い捨てテープタブとを含むパンツ型オムツ。
【請求項１９】
ｉ）実質的に非弾性のウエブを準備するステップと、
ｉｉ）前記ウエブを長さ方向にスリットし、２つのウエブ部分を形成するステップと、
ｉｉｉ）前記スリットの両側の上に塑性変形可能の伸長可能なフィルムを前記２つのウエブ部分に対して結合させて前記２つのウエブ部分を接続するステップ、
とを含む、積層使い捨てテープを製造する方法。
【請求項２０】
請求項１９に記載の方法で製造された前記テープを長さ方向を横断してカットするステップを含む、積層使い捨てテープタブの製造方法。
【発明の詳細な説明】
【技術分野】
【０００１】
本発明は、使い捨て吸収製品用の新規な積層テープタブに関し、特にショーツ型の乳児用オムツ、または成人失禁用製品、およびそれらの製造方法に関する。
【背景技術】
【０００２】
これらの種類の使い捨てパンツまたはショーツ型乳児用オムツまたは成人失禁用製品は、一般的に通常の下着パンツと同様であり、開放形式の使い捨てオムツのような密閉具または締結タブを備えない。このようなパンツ型の乳児用オムツが使用され汚れた場合、最終廃棄の前に吸収製品をコンパクト化したいという要望がある。パンツ型オムツまたは失禁用製品は、最終廃棄の前にオムツまたは失禁用製品をコンパクト化するのに使用できる密閉具または締結タブを持たず、したがって別個のいわゆる使い捨てテープが提案されてきた。
【０００３】
例えば、ＥＰ０６２３３３０Ａ２（ハヤセ等）では、液体透過性トップシート、液体不透過性バックシート、およびトップシートとバックシートの間に配置された吸収体を備えるショーツ型の使い捨てオムツを開示する。前方腰部分および後方腰部分は、それぞれオムツの反対側で相互接続される。さらにオムツは、テープファスナーを備え、オムツが廃棄されるときに締結される。このテープファスナーはバックシートの外側表面の中央部に配置され、バックシートの縦方向に伸長する。この締結用テープは、オムツが廃棄されるときに、コンパクト化した形状で密閉するのに十分な長さの締結タブを提供する目的で、二つ折りまたはＺ−折りで提供される。
【０００４】
米国特許第５，８０７，３７１Ａ（トヨダ等）では、ベース部分およびベース部分に連結される伸長可能部を備える伸長可能テープを開示する。ベース部分は、一般的に２０Ｎ（２０００ｇ力）／２５ｍｍテープ幅を超えないテープの縦方向の印加荷重の下で塑性変形しない材料で形成される。伸長可能部分は、一般的に２０Ｎ（２０００ｇ力）／２５ｍｍテープ幅を超えないテープの縦方向の印加荷重の下で塑性変形する材料で形成される。延伸後の伸長可能部分の長さが、ベース部分の長さよりも実質的に長い一方で、延伸後の伸長可能部の幅はベース部分の幅よりも実施的に小さい。伸長可能部は、使い捨て吸収製品を衛生的に収容するために荷重の下で伸長可能である。
【０００５】
ＥＰ０７５２２３９Ａ１（アラカワ等）では、拡張可能部および実質的に非延伸性部の材料から構成される、ベース材料を備える伸長性固着テープ、およびベース材料の少なくとも１つの端部にある、少なくとも１つの非延伸の部分上に提供される固着手段とを開示する。拡張可能部は、それが２００％の伸長を受け、そして２００％伸長条件下で３０％以上の永久変形を受けた場合に、４９Ｎ（５．０ｋｇ）／２５ｍｍを超えない荷重（引張り力）を示す。実質的に非延伸部は、４．９Ｎ（０．５ｋｇ）／２５ｍｍを超えない荷重の下で２倍未満の延性を有する。ＥＰ０７５２２３９Ａ１の別の態様によると、伸長性固着テープは、中央部および縦方向において厚さのない、薄層部分である拡張可能部、並びに両端部分において厚さのある、厚い層部分である実質的に非延伸性部分から構成されるベース材料を備える。固着テープは、ベース材料の少なくとも片方の端部に存在する、少なくとも１つの非延伸性部分の上に形成される固着手段をさらに備える。拡張可能部分は１４．７Ｎ（１．５ｋｇ）／２５ｍｍの荷重の下で少なくとも３倍の長さまで伸長でき、２００％伸長の条件下で少なくとも３０％の永久変形を有する。拡張可能部分の厚さは、非延伸部分の厚さの９０％を超えない。固着テープは２つ折りまたはＺ−折りを有する。
【０００６】
ＥＰ０８２６３５２Ａ２（イガウエ等）では、使い捨てオムツのような体液吸収製品を、廃棄用に巻いた状態で固定するために使用される、使い捨て可能な固定手段を開示する。この固定手段は接着テープと剥離テープを備える。接着テープは製品の外側表面の片方の端部で固着され、反対側の端部の上には接着ゾーンを有する。剥離テープは、接着テープと直線上に伸長し、製品の外側表面の固着される剥離部分を有し、折り返し部分は剥離部分と隣接し接着テープの端部に隣接して折り重なる。接着テープ上に形成された接着ゾーンは、剥離部分と剥離可能に接合され、剥離テープの折り返し部分は接着テープのフリー端部の内側表面に固着される。
【０００７】
ＷＯ０１／１３８４２Ａ１（マツダ等）では、上記のＥＰ０８２６３５２Ａ２と同じく、Ｚ−折りの構造を開示する。この構造には、フリー端部を有する第１テープ区域とフリー端部の反対側部分にある第１接続部分、並びに第２の接続部分を有する第２テープ区域と第２接続部分の反対側にある第１アンカー部分が含まれる。第２接続部分は、第１テープ区域の第１接続部分と接合される。さらに第３テープ区域が、第３の接続部分および第３接続部分の隣にある第２アンカー部分を有して形成される。第３接続部分は、第２テープ区域の第２接続部分と接合される。また第３接続部分は、第２接続部分と第２テープ区域の第１アンカー部分との間にある、分岐接続部分にも接合される。
【発明の開示】
【発明が解決しようとする課題】
【０００８】
上記のテープ構造は、汚れた廃棄製品の容易な包装を可能にする、消費者に喜ばれる伸長性を提供する。この伸長性は、ジグザグ折りテープ（すなわちＺ折り）構造および／または、テープに備わる弾性ゾーンによってもたらされる。これら既知の構造における他ならぬ欠点は、Ｚ折り構造に見られる比較的多量の材料消費、および比較的高価な弾性材料に基づくとされる高い製造コストである。
【課題を解決するための手段】
【０００９】
本発明の目的は、先行技術による構造に比べて、消費者に高度な利便性を与え、よりコスト的に魅力のある使い捨て吸収製品用、特に使い捨てパンツまたはショーツ型乳児用オムツまたは成人向け失禁用製品のための、改良された使い捨てテープタブを提供することである。
【００１０】
本発明の積層使い捨てテープタブは、隣接した第１テープタブ要素および第２テープタブ要素を含み、要素の各々は第１表面および第２表面を有する。タブは、２つの端部およびその端部の中間部を有する塑性変形伸長可能なフィルムをさらに備える。片方の端部は、第１のテープタブ要素の第１表面に結合され、他方の端部は、第２のテープタブ要素の第１表面に結合される。変形伸長可能なフィルムの中間部は、本発明の使い捨てテープタブを長さ方向に延伸する場合に塑性的に伸長する。中間部はタブ要素に結合されていないので、自由に伸長可能であり、テープタブを直接的に延伸する場合に伸長することができる。
【００１１】
本発明の好適な実施形態にしたがって、各々のテープタブ要素の第１表面は、例えば使い捨て吸収製品に結合させるために、少なくとも部分的に感圧接着剤でコーティングされる。伸長フィルムが、その中間部でテープタブ要素の接着剤コーティングと接触することがないように、第１テープタブおよび第２テープタブの各々の第１表面に未加工フィルムが取り付けられて、テープタブ要素と伸長可能フィルムの間に配置されることが、さらに好ましい。この実施形態にともなって、テープタブ要素は全面的に感圧性接着剤でコーティングでき、接着剤のストリップ塗装を回避することが可能であり、これは製造観点から、例えばコスト低減に好適である。
【００１２】
第１のテープタブ要素および第２のテープタブ要素は、中央でおよび／または間を置いたスリットの伸長テープとして最初は提供されることが好ましい。同様に未加工フィルムは、未加工フィルムを中央でスリットして得られる２つの分離した部分を備え、その２つの分離した部分はそれぞれ、第１テープタブ要素および第２テープタブ要素に結合される。テープおよび／または未加工フィルムを貫通するスリットは、一般的には直線スリットであるが、波形スリットまたは形の異なるスリットも同様に適用できる。
【００１３】
本発明の使い捨てテープタブは、テープタブ要素において提供される接着剤によって、使い捨て製品、特にパンツまたはショーツ型の乳児用オムツまたは成人向け失禁用製品に利用できる。使い捨て製品を廃棄するとき、使用者は廃棄用テープタブの片方の端を握って、低降伏の伸長可能フィルムの塑性変形によってタブを伸長でき、その結果タブは十分に延伸されて製品周囲を包むことができ、包まれたおよび／またはコンパクト化された製品はその状態に固定されて捨てられる。したがって、本発明は使い捨てテープタブを製造するための経済的で実用的な解決策を提供し、同時に汚れた使い捨て製品の簡便で確実な密閉を可能にする。
【００１４】
本発明の好適な実施形態によると、使い捨てテープタブは剥離テープをさらに備えていて、それにより使い捨てテープは使い捨て製品をＹ接合の形に締め付けることができる。好ましくは、剥離テープは剥離剤でコーティングされた第１表面と、接着剤でコーティングされた反対面の第２表面とを有する。剥離テープは、テープタブ要素の１つと接続され、特にタブを捨てるときに使用者によって把持されないテープタブ要素に、中央部のストライプによって接続されることが好ましい。中央の剥離部（center strip）を使用することが好まれるが、剥離テープを折り返すことも可能である。
【００１５】
伸長可能フィルムは低降伏の伸長可能フィルムが好ましい。本発明の使い捨てテープタブに使用される伸長可能フィルムは、３Ｎ／ｍｍ２を超える弾性率、より好ましくは５〜１００Ｎ／ｍｍ２の範囲の弾性率、さらにより好ましくは１０〜３０Ｎ／ｍｍ２の範囲の弾性率を有することが好ましい。伸長可能フィルム向けに現在の好ましい材料は低降伏のポリエチレンベースのフィルムであり、その弾性率は、機械方向（ＭＤ）および横断機械方向（ＣＤ）の両方で、３５μｍ厚さに対し約８Ｎ／ｍｍ２、５０μｍ厚に対し約２０Ｎ／ｍｍ２、および１００μｍ厚さに対し約７０Ｎ／ｍｍ２である。弾性率の測定はＤＩＮ５３３７１（引張り試験）によって実行される。
【００１６】
本発明はまた積層使い捨てテープの製造方法にも関連し、その製造方法は、実質的に非弾性のウエブを準備するステップと、そのウエブを長さ方向にスリットするステップと、およびその２つのウエブ部分を接続させる目的で、スリット品の両側上の２つのウエブ部分に対して塑性的に変形可能な伸長可能フィルムを結合させるステップと、から構成される。伸長可能フィルムは、好ましくは低降伏の伸長可能フィルムである。好ましくは、ウエブの１表面は感圧接着剤でコーティングされ、未加工フィルムが、ウエブの中央部にウエブの長さに沿って感圧接着剤の上に適用される。好ましくは、ウエブ、感圧接着剤および未加工フィルムは、１回のスリット工程でスリットされる。このように形成された積層テープは、次いで長さ方向を横切ってカットされ、複数の積層使い捨てテープタブが形成される。
【００１７】
好ましくは、上記の使い捨てテープの製造方法は、剥離テープおよび中央部ストライプを提供すること、剥離テープおよび中央部ストライプを積層テープに結合させること、
そして形成された積層物をロール巻きにして積層ロールを形成すること、からなる追加ステップを含む。当該積層ロールは、好ましくは締結システムまたは廃棄システムを提供する。
【００１８】
先行技術の使い捨てテープと比較して、本発明の使い捨てテープタブの利点は、信頼性の高い精密な方法で低コストに製造できることにある。未加工フィルムの使用により、積層プロセス使用が可能になりストリップコーティングプロセスを回避できる。特に、例えばイン−ラインで、接着剤の上に非常に薄い層をコーティングすることに比べると、テープタブ要素の接着剤層を部分的に被覆するために追加的なブランクテープを形成することはより容易である。
【００１９】
本発明による使い捨てテープタブの更なる利点は、必要な材料がより少量で安価であり、複雑な接合プロセスまたは重ね合わせプロセスが不要であることである。その上、本発明の使い捨てテープタブは、エンドレス形状のテープに製造でき、安定なロールに変換できる。遊星巻きロールおよびレベル巻きロールの両方の方式、並びにループ巻き（festooning）を、巻き取り方式に使用できる。
【００２０】
剥離テープを使用することは特別な利点である。使い捨て製品、例えばオムツ上でのテープタブの固定をより良好で確実なものにしてくれることから、とりわけ有益なのは剥離テープを使用する構成である。テープタブを延伸すると、力は剥離テープおよびタブ要素の上で分散され、その結果使用者によって把持されなかったテープタブ要素は、使い捨て製品から分離される可能性は低い。現時点で、これは本発明を実施するのにベストな方式と考えられる。
【発明を実施するための最良の形態】
【００２１】
本発明の使い捨てテープタブ２は、図１に概略的に図示されるようにパンツまたはショーツ型乳児用オムツまたは成人向け失禁用製品と関連して特に有利に使用できる。そのようなパンツ型のオムツを使用した後、パンツの巻き取リに先立ってパンツはシーム３の少なくとも１つに沿って引き裂かれるのが一般的である。汚れたオムツを足から取り外すと、足が汚れるからである。図２は、パンツがシーム３に沿って引き裂かれた後にロール巻き状態にした使用後（汚れた）のオムツを示す。使い捨てテープタブ２は、典型的には図２に示されるように汚れたオムツを巻き物形態にコンパクト化された形状に保持するために使用される。
【００２２】
図３および４に見られるように、本発明の積層使い捨てテープタブ２は、対向する末端部８、１０を有する、２つの隣接する第１テープタブと第２テープタブ４、６で構成される。
【００２３】
テープタブ要素４、６は、好ましくは、不織布材料、または不織布材料とフィルム層の積層物、またはポリオレフィンフィルムのような単一層フィルムで作製される。テープタブ要素４、６の各々は第１表面１２、１４および第２表面１６、１８を有する。
【００２４】
塑性変形可能で低降伏伸長可能なフィルム２０は、図３では未結合で示されるが、最終タブにおいては、各々のテープタブ要素の第１表面１２、１４に、２つの端部２２、２４が結合される。低降伏の伸長可能なフィルム２０は、３Ｎ／ｍｍ２を超える弾性率を有するのが好ましく、より好ましくは５から１００Ｎ／ｍｍ２の範囲の弾性率、さらにより好ましくは１０〜３０Ｎ／ｍｍ２の範囲の弾性率を有する。
【００２５】
塑性変形可能で低降伏の伸長可能なフィルムは、単一層フィルムまたは共押出しフィルムのような多層フィルムであって良い。好ましくは、塑性変形可能な低降伏の伸長可能なフィルム２０は、隣接する要素４、６の対向する末端部８、１０に関してほぼ対称に結合されるが、任意選択で非対称に結合されても良い。低降伏の伸長可能なフィルムはどの好適な材料からでも作製できるが、ＰＶＣ、ＥＶＡおよびＰＶＡで構成される群から選択される材料で作製されるのが好ましい。好適な材料は、ポリオレフィン、例えばＬＬＤＰＥ（線状低密度ポリエチレン）である。少なくとも５０％の、およびより好ましくは少なくとも７０％の永久変形を有する材料が好適である。
【００２６】
両方のテープタブ４、６の第１表面は、全面的に感圧接着剤２６、２９でコーティングされるのが好ましい。低降伏の伸長可能なフィルム２０は、第１テープタブ要素および第２テープタブ要素４、６にそれぞれ接着結合される、第１端部２２および第２端部２４を有する。フィルム２０は、接着剤２６、２８によってテープタブ要素に結合されても良い。代わりに、または加えて、フィルム２０は、熱接合、超音波接合、または冷圧接合によってテープタブ要素４、６に接合されて良い。端部２２、２４の間にある低降伏の伸長可能なフィルム２０の中間部は、テープタブ要素４、６の上のそれらの末端部８、１０の近くに形成される３０、３２の２つの部分を構成して配置される未加工フィルムによって、テープタブ要素４、６への接着結合が妨げられる。図３〜５に示された実施形態において、未加工フィルム３０、３２の全長は、伸長可能フィルム２０の端部２０、２４がテープタブ要素４、６に直接的に結合できるように低降伏の伸長可能フィルム２０の長さよりも短い。好ましくは、未加工フィルムは、積層使い捨てテープタブ２の製造中に、テープタブ要素４、６に積層される剥離フィルムである。未加工フィルムは、透明または不透明な材料で作製でき、着色されていても良い。未加工フィルムは、任意的な積層フィルムを有する不織布で作られても良い。未加工フィルム３０、３２の長さ、または２つのテープタブ要素４、６と、低降伏な伸長可能フィルム２０の結合個所との間の距離によって、テープタブの塑性的に変形可能なゾーンの幅または延長可能な幅が一般的には決定される。
【００２７】
テープタブ要素４、６の一方のフリー端部にあり、図３に未結合で示される指めくり部３４は、製造プロセス中に積層される。スリット３６は、好ましくは中央部に形成され、２個のテープタブ要素４、６および未加工フィルムの２個部分３０、３２を分離する。
【００２８】
本発明の使い捨てテープタブ２は、接着剤２８によって、吸収製品、例えばパンツまたはショーツ型乳児用オムツまたは成人向け失禁用製品（図１）に結合される。それだけに、使い捨てテープタブ２の第２テープタブ要素６は、いわゆる「製造者用端部」であり剥離できないようにオムツに固着される（いわゆる使用者用端部と反対）。第１テープタブ要素４は、使用後の汚れたオムツを廃棄する目的で巻きつけまたはコンパクト化するために使用される。この目的で、第１テープタブ要素４の接着剤２６は、オムツの上に形成された剥離剤コーティングの上に配置されてもよいし、剥離ライナーを備えてもよい。オムツの使用後、すなわち、オムツが破棄される場合、第１テープタブ要素４は図２に示されるようにオムツをコンパクト化して固定するために使用される。したがって、第１テープタブ要素４は「使用者用端部」ともいわれる。
【００２９】
テープタブ要素は、キャリアフィルムがポリマー層、またはポリマー層あるいはフィルムが不織布層に結合できる不織布であることがでる、キャリアフィルムを備えても良い。ポリマーフィルムキャリアの厚さは、一般的には３０〜１２０μｍ、好ましくは４０〜１１０μｍ、より好ましくは７０〜１１０μｍ、およびさらに好ましくは９５〜１０５μｍである。フィルム層有りで、または無しで使用される不織布キャリアは、一般的には２５〜１００ｇ／ｍ２の、好ましくは３０〜９０ｇ／ｍ２の坪量を有する。接着剤２６、２８の厚さは、一般的には１０〜４０μｍの範囲であり、好ましくは約２０〜３５μｍである。挟み込まれる未加工フィルム３０，３２の厚さは、一般的には５〜４０ｍｍであり、好ましくは８〜２０μｍ、およびさらに好ましくは１０〜１５μｍである。塑性的変形可能な低降伏の伸長可能なフィルム２０は、好ましくは３０〜１００μｍの間の範囲の厚さを有し、より好ましくは４０〜７５μｍの間の、最も好ましくは約５０μｍの厚さを有する。テープタブ要素の厚さは、基本的には個々の層の合計である。使い捨てテープタブの様々な層は、全てがこのような厚さであり、未加工フィルム（存在する場合）および伸長可能なフィルムを含むタブ２を横切った長さｌの方向における、使い捨てテープ全体の厚さ変化は、好ましくは約５０％未満、およびより好ましくは約４０％未満である。
【００３０】
使い捨てタブ２（図４参照）の幅Ｗは、使い捨て製品のサイズに応じて変化してよく、通常は５〜５０ｍｍの間の範囲であり、好ましくは１０〜３０ｍｍの間、および最も好ましくは１５〜２５ｍｍの間である。タブの長さｌの方向（図３および４参照）において、本発明の使い捨てテープタブの様々な要素は以下の寸法を有して良い： ２個のテープタブ要素４、６は一緒に測定して約５０〜１００ｍｍの長さ、好ましくは７０〜９０ｍｍおよび最も好ましくは約８０ｍｍの長さを有して良い。未加工フィルムの２個の部分３０、３２は、一緒にして約１０〜５０ｍｍの長さ、好ましくは２０〜４０ｍｍおよび最も好ましくは約３０ｍｍの長さを有してよく、両部分は同じ長さを有することが好ましい。低降伏の伸長可能なフィルム２０は約２０〜８０ｍｍの全長、好ましくは３０〜５０ｍｍおよび最も好ましくは約４０ｍｍの全長を有してよく、そして２個のテープタブ４，６およびそれらに対向する末端部８、１０を分離するラインまたはスリットを中央部にして適用されることが好ましい。指めくり要素３４は、約５〜１５ｍｍの長さ、好ましくは８〜１２ｍｍおよび最も好ましくは約１０ｍｍの長さを有して良い。
【００３１】
２個の隣接したテープタブ要素４、６のこれらの対向する末端部８、１０において、好ましくは側面と側面が接しており、その結果、低降伏の伸長可能なフィルム２０全体を実質的に被覆する。したがって、フィルム２０は使用前に被覆され、さらにタブの中央領域の使い捨てテープタブ全体に渡る厚さの変化を最小化しながら、接着剤の混入が防止される。この配置は同様に機能的および審美的な利点がある。低降伏な伸長可能なフィルムは異なった着色が可能であり、テープタブ要素４、６は識別し易いコントラストを形成するデザインを備えることができる。使用者がタブ２をある距離だけ伸長すると、特に未加工フィルム３０、３２が透明の場合、事前に被覆された低降伏の伸長可能なフィルム２０は明確に露出される。これは、低降伏の伸長可能なフィルム２０が塑性的変形を受ける程度の明確な可視指示を提供し、同様に適用された力も直接的に示す。これは、フィルムの最高伸長性を示すために使用でき、その結果過剰延伸を回避できる。
【００３２】
同様に、接着剤層２６、２８および未加工フィルム３０、３２の対向する端部は、側面と側面が接しており、その結果、それらは使用前のフィルム２０の中間部区域の全てを実質的に被覆する。
【００３３】
一般的には、本発明の使い捨てテープタブ２の２個のテープタブ要素４、６は、完全に接着剤層で被覆された１個の連続したウエブ材料で製造される。製造プロセス中に、最終的に未加工フィルムを形成するフィルムが、次いで接着剤コーティングされたウエブ上の中央部に貼合される。次いで、ウエブ材料、接着剤層および未加工フィルムは中央部でスリットまたはカットされ、２つに分離したテープタブ要素４、６を形成し、各々の要素はそれぞれ接着剤層２６、２８、および近似的に同じ長さの分離した未加工フィルム３０、３２で被覆される。図３および４に、カットライン３６を示す。続いて、シート状の連続テープ形状の低降伏の伸展可能なフィルム２０は、その横方向端部２２、２４をそれぞれの接着剤層２６、２８に対して接着結合する。したがって未加工フィルムは完全に被覆され、フィルム２０の中間部分とテープタブ要素４、６の間を接着剤結合を防止する。したがって積層テープは連続したロールに巻き取ることができる。次いで使い捨てテープの連続ロールは、図４に例示されるように個別の使い捨てテープタブ２にカットされる。これらの使い捨てテープタブ２は、低降伏の伸長可能なフィルム２０の塑性変形によって長さ方向ｌに延伸できる。延伸により、テープタブ要素４と６の間にギャップが形成されて広がり、したがって汚れた使い捨て製品を密閉するための増加した長さのテープが提供される。
【００３４】
テープタブ要素４、６は、好ましくは不織布とフィルムの積層物であるが、好ましくは、ポリプロピレンフィルムまたはポリエチレンフィルムのようなポリオレフィンフィルムの単一フィルムであることもでき、あるいはフィルム層のない不織布であることもできる。不織布が柔らかさを提供する一方で、フィルム層は接着剤に対するバリアおよび／または寸法安定性を提供する。不織布は、坪量１０ｇ／ｍ２〜６０ｇ／ｍ２を有するスパンボンド不織布が好ましく、フィルム層は、スパンボンド不織布に押出積層され得る。不織布とフィルム層の積層物が使用される場合、フィルム層は、感圧接着剤層２６、２８に隣接することが好ましい。フィルム層はまた、個別に提供されて、不織布に対して、接着積層され、熱接合され、音波接合され、および／またはその他の従来どおり結合できる。不織布層は好ましくは要素４、６の第２表面の上に剥離剤コーティングを持ち、その結果使い捨てテープタブをロール巻きにできる。感圧接着剤層２６、２８は、テープタブ要素４、６の上に形成され、その結果、低降伏の伸長可能なフィルム２０の両テープタブ要素４、６との結合と、さらにテープタブ要素４、６の使い捨て製品との結合を可能にする。好ましくは、両テープタブ要素４、６はフィルム２０を超える領域を有し、そこで感圧接着剤層２６、２８が露出し、その部分はテープタブ要素４、６を使い捨て製品に結合するために使用できる、あるいは機械的ファスナー要素のようなその他の要素を結合するために使用できる。低降伏の伸長可能なフィルム２０の端部２２、２４は、２〜１０ｍｍ、好ましくは約５ｍｍ、未加工フィルム３０、３２上で、両方向に伸長することが好ましい。これにより、フィルム材料の過剰な使用なしでフィルム２０が接着剤層２６、２８に接合することが確保される。低降伏の伸長可能なフィルム２０の中間領域は、通常未加工フィルム部分３０、３２の全長に対応する長さである。
【００３５】
低降伏の伸長可能なフィルム２０は、好ましくは、塑性変形可能あり、すなわち、少なくとも５０％、好ましくは少なくとも１００％、および最も好ましくは１５０％延伸可能であるべきでである。
【００３６】
図５は、本発明の使い捨てテープタブ２のさらなる実施形態を例示し、その中で基本的な構造は図３および４に示した実施形態にほぼ対応しているが、剥離テープ３８を追加して備える。剥離テープ３８は、テープタブ２を使い捨て製品に結合させて、いわゆるＹ接合を形成するために特に役立つ。本発明の好適なこの実施形態は、現在特に有利である。なぜならば剥離テープの使用は、テープタブの使い捨て製品への固着をより良好にかつ確実なものにしてくれるからである。テープタブを延伸すると、力は剥離テープおよびテープタブ要素に分散され、その結果テープタブ要素６は使い捨て製品からさらに分離されにくくなる。
【００３７】
剥離テープ３８は、好ましくは接着剤層４０を備える。剥離テープ３８は、中央部ストライプ４２によって、第２テープタブ要素６で使い捨てテープタブ２と結合される。センターストライプは、便宜上Ｕ−形状で示される。しかし、センターストライブは、むしろ１回折り、すなわちＶ形状を形成して差し支えない。テープタブ２とセンターストライプ４２を接続するのに適したあらゆる形状のセンターストライプが本発明に基づいて使用できる。センターストライプ４２に好適な材料は、例えばポリエステルおよびＢＤＰＰ（２軸延伸ポリプロピレン）である。センターストライプの使用が好ましいが、折り返しされた剥離テープを使用することも可能である。
【００３８】
剥離テープ３８は、使用中に第１のテープタブ要素４に形成される接着剤２６が剥離テープ３８から直ちに剥がされるように、接着剤層４０の反対面に剥離剤コーティングを形成することが好ましい。
【００３９】
剥離テープ３８の寸法は、以下のようであることが好ましい。剥離テープ３８は、典型的には約４０〜８０ｍｍ、好ましくは約５０〜７０ｍｍ、およびさらに好ましくは約６０ｍｍの長さを有する。指めくり要素３４に隣接した剥離テープ３８のフリーの端部は、使い捨てテープタブ２の端部から少なくとも約２ｍｍ、好ましくは約５ｍｍ離れて配置される。テープタブ要素６の外側端部と剥離テープ３８の間の距離は好ましくは約５〜２５ｍｍ、より好ましくは１０〜２０ｍｍ、さらに好ましくは約１５ｍｍである。
【００４０】
図６は、本発明の使い捨てテープタブ２の代替実施形態を示す。この実施形態では、未加工フィルム３０、３２は伸長され、ぞの全長は低降伏の伸長可能なフィルム２０の長さよりも大きくなっている。この実施形態においてフィルム２０は、伸長された未加工フィルム３０、３２に対して熱接合、超音波接合、または冷圧接合によって固着できる。未加工フィルム３０、３２は、好ましくはテープタブ要素４、６に対して接着剤２６、２８によって結合される。熱接合、超音波接合、または冷圧接合のような追加的接合手段が使用されて良い。好ましくは、低降伏の伸長可能なフィルム２０および未加工フィルムの２個の部分３０、３２は、図６の参照記号４４、４６で示したように、熱接合、超音波接合、または冷圧接合によって単一の接合工程でテープタブ要素４、６に対して結合される。この実施形態において、フィルム２０の塑性変形可能な幅および延伸可能なゾーンは、本来、フィルム２０がテープタブ要素４、６に接合される２つの接合ライン４４、４６の距離によって決定される。
【００４１】
図６に示される実施形態の使い捨てテープタブの寸法は、図３〜５に関連した上記のものと基本的に同じである。
【００４２】
図７は、本発明による使い捨てテープの製造方法を概略的に例示する。図７は、いわゆる単一積層ロールプロセスである。
【００４３】
図７に示される方法において、最終的に第１のテープタブ要素および第２のテープタブ要素４、６を形成する材料４８、最終的に未加工フィルムの２つの部分３０、３２を形成する材料５０、、使い捨てテープタブ２の指めくり３４を形成する材料５２は、それぞれのロールからガイドロールを経由してエンドレスの形で供給され、カッティングナイフＣを備えるカッティングステーションにガイドされ、その場所で長さ方向に沿ってスリットされ、さらに第１積層ステーションＬ１に行き、その場所でガイドロールを経由してロール形状で同様に供給される塑性変形可能な低降伏の延伸可能なフィルム材料５４と積層される。上記の説明のように、積層は接着剤接合で実施できるが、特に低降伏の伸長可能なフィルム２０が未加工フィルム３０、３２よりも狭い場合には、熱接合、超音波接合、または冷圧接合を補助的にまたは代替的に使用することができる。あるいは、材料４８、５０はカットされ、テープタブ要素４、６および未加工フィルム部分３０、３２を形成し、続いてフィルム５４に積層されることも可能である。材料４８、５０を完全にカットまたはスリットする代わりに、部分的カット、または切り取り線を形成することも選択肢である。
【００４４】
テープタブ要素４、６、未加工フィルム部分３０、３２、および低降伏の伸長可能なフィルム２０を含み、いまだエンドレスシートまたはウエブの形態である積層物は、次いで第２積層ステーションＬ２に供給される。第２積層ステーションＬ２において、剥離テープ材料５６およびセンターストライプ材料５８が、積層ステーションＬ１から供給された積層物に結合される。その後、積層物はラミネートロールＬＲに巻き取られる。ロール形状の積層物は次いで、例えばインラインのオムツ製造機に供給され、そこで個々のテープタブが前記ロールから切り出しされる。
【００４５】
本発明による使い捨てテープタブ２の別の実施形態が図８に示される。前記の実施形態のように、使い捨てテープタブ２は、第１のテープタブ要素および第２のテープタブ要素４、６、および低降伏の伸長可能なフィルム２０を備える。この実施形態では、テープタブ要素４、６の第１表面１２、１４は、接着剤コーティングで全面的に被覆されておらず、その結果、未加工フィルムが存在する必要はない。接着剤層２６は、第１テープタブ要素４の第１表面１２、すなわち使用者用端部の上にストリップコーティングされてよく、それによって機械的ファスナー要素６０が第１テープタブ要素４に結合されることが可能である。代わりに、機械的ファスナー要素６０の裏側に接着剤層があっても良い。そのフックは、オムツの裏側シートの露出された不織布層に直ちに係合できるので、好適な機械的ファスナー要素はフックパッチ６０である。
【００４６】
第１表面１４の第２テープタブの要素６、すなわち製造者側端部は、接着剤を備えても良いし、備えなくてもよい。使い捨てテープタブ２は、第２テープタブ要素６の第１表面１４の上に形成された接着剤を介してオムツに結合されることが好適であるが、例えば、熱接合、または超音波溶接のような別の接合機構を使用することも可能である。接着剤が製造者側端部の上に使用される場合、感圧接着剤または構造用接着剤が使用できる。
【００４７】
接着剤によって、または図８に示されたように熱接合、超音波接合および／またはその他のいかなる結合技術によって作製できる結合ライン６２、６４を介して、伸長可能なフィルム２０は第１のテープタブ要素および第２のテープタブ要素４、６に結合できる。
【００４８】
図８に示される実施形態において、図５、および６に示された実施形態と同様にタブ２のオムツへの取り付けにＹ接合を提供する目的で、剥離テープ３８は第２テープタブ要素６の第１表面１４にも結合できる。
【００４９】
本発明の更なる実施形態の使い捨てテープタブを図９に例示する。この実施形態では、第１のテープタブ要素および第２のテープタブ要素４、６の第１表面１２、１４は、接着剤層２６、２８を形成する目的で、接着剤で好ましくは感圧接着剤でストリップコーティングされる。第１のテープタブ要素４上の接着剤層２６は、第１表面１２の中央部領域に形成され、第２テープタブ要素６の第１表面１４の上の接着剤層２８は、中央部から端部よりに移動した領域に形成される。この構造により、中間部分は、接着剤が存在しない状態で、接着剤層２６、２８間に存在する。この中間領域は、伸長可能なフィルム２０でブリッジされる。伸長可能なフィルム２０は、それぞれ接着剤層２６、２８を有した端部部分２２、２４の部分的な重なりによって第１のテープタブ要素および第２のテープタブ要素４、６に結合される。したがって、この実施形態では未加工フィルムが不要である。
【００５０】
第１接着剤層２６は、第１テープタブ要素４の中央部領域の第１表面１２の上だけにストリップコーティングされるので、接着剤無しの指めくり部分は、タブ２のフリー端部に形成される。使い捨てテープタブ２は、接着剤層２８の非重なり部、すなわち露出された接着剤層で使い捨て製品に結合される。剥離テープ３８のような剥離テープも、任意選択で結合に使用されて良い。剥離テープが提供されない場合、使い捨て製品の使用者用端部が、使用に際してバックシートから直ちに引き出され、図２に示されたように使い捨て製品をコンパクト化した状態にさせることができるように、剥離ライナーで接着剤層２６の露出部分を被覆すること、または使い捨て製品のバックシート上に剥離剤コーティングを形成することが必要であり得る。
【図面の簡単な説明】
【００５１】
【図１】本発明による使い捨てテープタブを備えたパンツまたはショーツ型オムツの概略的斜視図。
【図２】図２は、使用後にコンパクト化するために用いられる、本発明の使い捨てテープタブを備えたパンツまたはショーツ型オムツの概略的斜視図である。
【図３】本発明の使い捨てテープタブの、１実施形態の概略的側面図。
【図４】図３に例示された使い捨てテープタブの斜視図。
【図５】剥離テープおよびセンターストライプを備えた、本発明の使い捨てテープタブの、別の実施形態の概略的斜視図。
【図６】本発明の使い捨てテープタブの、代替的実施形態の概略的側面図。
【図７】本発明の使い捨てテープタブを製造する方法を示す。
【図８】本発明の使い捨てテープタブの、別の実施形態の概略的側面図。
【図９】本発明の使い捨てテープタブの、さらに別の実施形態の概略的側面図。
【図１】
2009507570.tif 000003
【図２】
2009507570.tif 000004
【図３】
2009507570.tif 000005
【図４】
2009507570.tif 000006
【図５】
2009507570.tif 000007
【図６】
2009507570.tif 000008
【図７】
2009507570.tif 000009
【図８】
2009507570.tif 000010
【図９】
2009507570.tif 000011
【国際調査報告】
2009507570.tif 000012
2009507570.tif 000013